(57)【特許請求の範囲】
【請求項１】
ベッドフレームに設けられた床板体を複数の床部に分割し、隣り合う床部を互いに回動可能に連結し、その床部を上記ベッドフレームに設けられた駆動機構によって起伏駆動する起床式ベッド装置において、
上記床板体の互いに隣り合う３枚の床部のうち、中央に位置する第１の床部の一側に位置する第２の床部と他側に位置する第３の床部とを、上記第１の床部に選択的に回動不能に固定する選択固定手段が設けられており、
上記選択固定手段は、
上記第１の床部の幅方向端部に上面に開放して形成された凹部と、
この凹部に中途部を露出させ上記幅方向と交差する前後方向に沿ってスライド可能かつ一端部と他端部とをそれぞれ上記第１の床部の一側面と他側面とから突出可能に設けられた移動軸と、
この移動軸の上記凹部に露出した中途部に移動軸の移動方向に沿って回動可能に連結されて設けられ起立させて上記移動軸をスライド操作するとともに、上記凹部内へ倒伏させることで上記移動軸の移動を阻止する操作部材と、
上記第２の床部に形成され上記移動軸を上記操作部材によってスライド操作して上記第１の床部の一側面から突出させたときにこの移動軸の一端部が嵌合する第１の嵌合部と、
上記第３の床部に形成され上記移動軸を上記操作部材によってスライド操作して上記第１の床部の他側面から突出させたときにこの移動軸の他端部が嵌合する第２の嵌合部と
を具備することを特徴とする起床式ベッド装置。
【発明の詳細な説明】
【０００１】
【発明の属する技術分野】
この発明は床板体の一部を起伏駆動して利用者の上半身を起こすことができるようにした起床式ベッド装置に関する。
【０００２】
【従来の技術】
病人や老人などのように自力で起き上がることができない利用者には、床板の一部を起伏駆動することができるようにした、いわゆる起床式ベッド装置が利用されている。起床式ベッド装置は、ベッドフレームを有し、このベッドフレームには床板体が設けられている。
【０００３】
床板体は複数の床部に分割されていて、そのうちの１つをベッドフレームに固定し、他の床部を上記ベッドフレームに設けられた駆動機構によって起伏させることができるようになっている。たとえば、複数の床部のうち、利用者の上半身に対応する部分の背床部と、脚部に対応する複数の脚床部とが起伏駆動されるようになっている。複数の脚床部はほぼへの字状に屈曲される。それによって、利用者の脚部を屈曲状態で保持することで、上半身が起こされた利用者の臀部が前方へずれ動くのを阻止し、上半身を起こした姿勢を楽に維持できるようにしている。
【０００４】
【発明が解決しようとする課題】
ところで、複数の脚床部を屈曲させた場合、その屈曲部分が利用者の膝の裏側の部分に位置していれば、利用者の脚を安定した屈曲状態で確実に保持することができる。
【０００５】
しかしながら、利用者によっては身長や体格が異なる。そのため、複数の脚床部を常に一定の位置で屈曲させるようにしたのでは、その屈曲部が利用者の脚の膝の裏側の位置から前後方向に大きくずれてしまうことがある。
【０００６】
そのような場合には、利用者の脚部のたとえば太腿の部分や脹脛の部分が脚床部の屈曲部によって不要に圧迫されるなどのことがあり、利用者は上半身を起こした姿勢を維持することに苦痛を感じることがある。
【０００７】
この発明は、利用者の身長などに応じて脚部を屈曲状態で保持する床部の屈曲部の位置を変更することができるようにした起床式ベッド装置を提供することにある。
【０００８】
【課題を解決するための手段】
請求項１の発明は、ベッドフレームに設けられた床板体を複数の床部に分割し、隣り合う床部を互いに回動可能に連結し、その床部を上記ベッドフレームに設けられた駆動機構によって起伏駆動する起床式ベッド装置において、
上記床板体の互いに隣り合う３枚の床部のうち、中央に位置する第１の床部の一側に位置する第２の床部と他側に位置する第３の床部とを、上記第１の床部に選択的に回動不能に固定する選択固定手段が設けられており、
上記選択固定手段は、
上記第１の床部の幅方向端部に上面に開放して形成された凹部と、
この凹部に中途部を露出させ上記幅方向と交差する前後方向に沿ってスライド可能かつ一端部と他端部とをそれぞれ上記第１の床部の一側面と他側面とから突出可能に設けられた移動軸と、
この移動軸の上記凹部に露出した中途部に移動軸の移動方向に沿って回動可能に連結されて設けられ起立させて上記移動軸をスライド操作するとともに、上記凹部内へ倒伏させることで上記移動軸の移動を阻止する操作部材と、
上記第２の床部に形成され上記移動軸を上記操作部材によってスライド操作して上記第１の床部の一側面から突出させたときにこの移動軸の一端部が嵌合する第１の嵌合部と、
上記第３の床部に形成され上記移動軸を上記操作部材によってスライド操作して上記第１の床部の他側面から突出させたときにこの移動軸の他端部が嵌合する第２の嵌合部と
を具備することを特徴とする起床式ベッド装置にある。
【００１１】
この発明によれば、選択固定手段によって第１の床部に対して第２の床部又は第３の床部を選択的に固定できるため、第１の床部に第２、第３の床部うちのどちらの床部を固定するかによって屈曲位置を変更することができる。
【００１２】
選択固定手段は移動軸をスライドさせるだけであるから、その操作を容易に行なうことができる。
【００１３】
移動軸をスライドさせるための、この移動軸に連結された操作部材を凹部内へ倒伏させると、この操作部材によって移動軸がスライドするのを阻止するから、第１の床部に対する第２又は第３の床部の固定状態を確実に維持することができる。
【００１４】
【発明の実施の形態】
以下、図面を参照しながらこの発明の一実施の形態を説明する。
【００１５】
図４に示す起床式ベッド装置はベースフレーム１を備えている。このベースフレーム１は矩形枠状に形成されていて、その四隅部にはキャスタ２が設けられている。ベースフレーム１には、ベッドフレーム３がリンク４によって上下動可能に設けられている。このリンク４は上下駆動機構５によって駆動される。それによって、ベッドフレーム３はベースフレーム１上で上下駆動されるようになっている。つまり、ベッドフレーム３は高さ調整可能となっている。
【００１６】
上記ベッドフレーム３には、長手方向一端にヘッドボード６、他端にフットボード７が設けられ、さらに上面には床板体８が設けられている。この床板体８は６つの床部９ａ〜９ｆに分割されていて、中央に位置する固定床部９ｃはベッドフレーム３に固定されている。
【００１７】
上記固定床部９ｃの一側には腰床部９ｂと背上げ床部９ａとが順次回動可能に連結され、他側には第１の脚床部９ｄ（第２の床部）、調整床部９ｅ（第１の床部）及び第２の脚床部９ｆ（第３床部）が順次回動可能に連結されている。そして、この床板体８上には屈曲可能なマットレス１１が載置されている。
【００１８】
なお、各床部９ａ〜９ｆは図３に示すように隣り合う側面が互いに入り込む凹凸形状に形成され、その凹凸部分が図１（ａ）、（ｂ）及び図２に示す連結軸１０によって回動可能に連結されている。
【００１９】
上記ベッドフレーム３の床板体８の下面側の部分には背上げ駆動機構１２が設けられている。この背上げ駆動機構１２は、図４に示すように回転駆動される第１の駆動軸１３と第２の駆動軸１４を有する。第１の駆動軸１３には第１のアーム１５の基端が連結されている。この第１のアーム１５の先端部には一対のローラ１６が所定間隔で回転可能に設けられている。これらローラ１６は上記背床部９ａの下面に設けられた断面コ字状のガイドレール１７に転動可能に係合している。したがって、上記第１のアーム１５が起上方向に駆動されれば、その起上に連動して背床部９ａが上昇させられることになる。
【００２０】
上記第２の駆動軸１４には第２のアーム２１の基端部が連結固定されている。この第２のアーム２１の先端部には第２のローラ２２が設けられている。この第２のローラ２２は第１の脚床部９ｄの下面に転接している。したがって、上記第２のアーム２１が起上方向に駆動されれば、第２のローラ２２によって第１の脚床部９ｄが固定床部９ｃに連結された一端を支点として他端が上昇する方向に回動する。
【００２１】
第１の脚床部９ｄが回動すると、この回動に第２の脚床部９ｆが調整床部９ｅを介して連動する。第２の脚床部９ｆとベッドフレーム３との間には保持杆１８が両端部を回動可能に連結して設けられ、この保持杆１１によって上記第２の脚床部９ｆが上記第１の脚床部９ｄに連動した状態で保持されるようになっている。
【００２２】
上記第１の脚床部９ｄ、調整床部９ｅ及び第２の脚床部９ｆは図１（ａ）、（ｂ）に示すように連結軸１０によって互いに回動可能に連結されているとともに、上記第１の脚床部９ｄと第２の脚床部９ｆは調整床部９ｅに対し選択固定手段に２５によって選択的に回動不能に固定できるようになっている。
【００２３】
上記選択固定手段２５は図３に示すように調整床部９ｅの幅方向両端部に設けられている。つまり、調整床部９ｅの幅方向両端部には、図１（ａ）、（ｂ）に示すように上面に開口した凹部２６が形成されている。この凹部２６には凹部２６とほぼ同様、上面が開放した箱形のケース２７が収容されている。
【００２４】
上記調整床部９ｅには、上記幅方向と交差する前後方向に沿って移動軸２８がスライド可能に設けられている。つまり、調整床部９ｅの第１の脚床部９ｄ側の一側面と、第２の脚床部９ｆ側の他側面とにはそれぞれブッシュ３０が装着された第１の通孔２９が形成されている。上記凹部２６とケース２７との前後方向に位置する両側壁には第１の通孔２９と同じ高さで第２の通孔３１が形成されている。
【００２５】
上記第１の通孔２９と第２の通孔３１には上記移動軸２８がスライド可能に挿通支持されている。この移動軸２８は上記調整床板部９ｅの前後方向の長さ寸法よりも長く形成されていて、その中途部は上記ケース２７内に露出している。
【００２６】
移動軸２８の上記ケース２７内に露出した部分には連結部３２が設けられ、この連結部３２には操作部材３３の基端部が軸線を移動軸２８のスライド方向と交差させた支軸３４によって枢着されている。つまり、上記操作部材３３は移動軸２８の移動方向に沿って回動可能になっている。
【００２７】
図１（ａ）に示すように、連結部３２をケース２７内の一端部に位置するよう、移動軸２８をスライドさせて上記操作部材３３を他端側へ倒伏させると、この操作部材３３の先端に設けられた突起３５がケース２７の一対の側壁に形成された係合孔３６の一方に弾性的に係合する。それによって、操作部材３３がケース２７内で倒伏状態で保持されるため、上記移動軸２８がスライド不能となる。
【００２８】
図１（ｂ）は移動軸２８を図１（ａ）の状態と逆方向にスライドさせた状態を示しており、この場合には操作部材３３の先端の突起３５が他方の係合孔３６に弾性的に係合して上記移動軸２８をスライド不能に保持する。
【００２９】
上記第１の脚床部９ｄの上記調整床部９ｅ側の端部には、内部を第１の嵌合孔４１（第１の嵌合部）とした第１の管状部材４２が設けられている。この第１の管状部材４２は、一端を第１の脚床部９ｄの一側面に露出させ、他端に形成されたＬ字状の取付け部４３がねじ４４によって第１の脚床部９ｄに固定されている。
【００３０】
上記第２の脚床部９ｆの上記調整床部９ｅ側の端部には、内部を第２の嵌合孔４５（第２の嵌合部）とした第２の管状部材４６が設けられている。この第２の管状部材４６は、一端を第２の脚床部９ｆの一側面に露出させ、他端に形成されたＬ字状の取付け部４７がねじ４８によって第２の脚床部９ｆに固定されている。
【００３１】
上記移動軸２８を図１（ａ）に示すように第１の脚床部９ｄ側へスライドさせれば、ブッシュ３０から突出した移動軸２８の一端部が第１の管状部材４２の第１の嵌合孔４１に入り込む。それによって、第１の脚床部９ｄは連結軸１０を支点とする回動が阻止されることになる。
【００３２】
上記移動軸２８を図１（ｂ）に示すように第２の脚床部９ｆ側へスライドさせれば、ブッシュ３０から突出した移動軸２８の他端部が第２の管状部材４６の第２の嵌合孔４５に入り込む。それによって、第２の脚床部９ｆは連結軸１０を支点とする回動が阻止されることになる。
【００３３】
つまり、移動軸２８を第１の脚床部９ｄ側と、第２の脚床部９ｆ側のいずれにスライドさせるかによって、上記第１の脚床部９ｄと第２の脚床部９ｆのいずれかを上記調整床部９ｅに回動不能に固定できるようになっている。
【００３４】
つぎに、上記構成の起床式ベッド装置を使用する場合について説明する。
【００３５】
背上げ駆動機構１２を作動させると、図４に示すように背床部９ａが起上されるとともに、第１、第２の脚床部９ｄ、９ｆが上昇して山形状に屈曲する。したがって、マットレス１１上に仰臥した利用者Ｕは、上半身を起こすことができるばかりか、脚部が屈曲した第１、第２の脚床部９ｄ、９ｆによって支持されるから、上半身を起こしても臀部が前方へずれ動き難くなり、上半身を起こした姿勢を楽に維持することができる。
【００３６】
ところで、移動軸２８が図１（ｂ）に示すように第２の脚床部９ｆ側にスライドさせられ、調整床部９ｅが第２の脚床部９ｆ側に固定されている場合、床板体８は図５（ａ）に示すように、第１の脚床部９ｄと調整床部９ｅとの連結部分で山形状に屈曲することになる。
【００３７】
利用者Ｕの身長や体格などによっては床板体８の山形状に屈曲した部分Ｘが利用者Ｕの膝の裏側の部分からずれてしまうことがある。図５（ａ）では、床板体８の山形状に屈曲した部分Ｘが利用者Ｕの太腿側にずれている。そのため、利用者Ｕは床板体８の屈曲部分Ｘによって太腿の部分が圧迫されることになるから、不快感や苦痛を感じることがある。
【００３８】
そのような場合には、図１（ｂ）に鎖線で示すように操作部材３３をケース２７内から起上させ、この操作部材３３を持って移動軸２８を第１の脚床部９ｄが輪へスライドさせる。それによって、移動軸２８の第２の脚床部９ｆ側の一方の端部が図１（ａ）に示すように第２の嵌合孔４５から外れ、他方の端部が第１の脚床部９ｄの第１の嵌合孔４１と嵌合した状態になるから、調整床部９ｅは第１の脚床部９ｄに固定され、第２の脚床部９ｆは調整床部９ｅに対して回動可能となる。
【００３９】
この状態で、背上げ駆動機構１２を作動させると、床板体８は、図５（ｂ）に示すように調整床部９ｅと第２の脚床部９ｆとの連結部分で屈曲することになり、その屈曲部分Ｙが図５（ａ）の状態に比べて利用者Ｕの足側にずれる。したがって、調整床部９ｅと第２の脚床部９ｆとの屈曲部分Ｙを利用者Ｕの膝の裏側の部分に位置させることができるから、その屈曲部分Ｙによって利用者Ｕの脚部が不要に圧迫されるのを防止することができる。
【００４０】
すなわち、調整床部９ｅを、第１の脚床部９ｄと第２の脚床部９ｆのいずれかに選択的に固定することができるから、利用者Ｕの身長や体格などに応じて調整床部９ｅが屈曲する位置を変え、その屈曲部分Ｘ又はＹが利用者の脚部を不要に圧迫するのを防止することができる。
【００４１】
上記移動軸２８のスライド操作は、この移動軸２８に、移動方向に沿って回動可能に連結された操作部材３３をケース２７内から起立させれば、この操作部材３３によって容易に行なうこことができる。
【００４２】
移動軸２８を所定の状態にスライドさせたならば、上記操作部材３３を倒伏させれば、操作部材３３の上端に設けられた突起３５がケース２７に形成された係合孔３６に係合してケース２７内に保持される。
【００４３】
操作部材３３がケース２７内に保持された状態においては、移動軸２８がスライド不能となる。そのため、移動軸２８が不用意にスライドし、この移動軸２８による調整床部９ｅと第１の脚床部９ｄ又は第２の脚床部９ｆとの連結状態が解除されるのを防止することができる。
【００４４】
なお、上記一実施の形態では調整床部に形成された凹部にケースを設けるようにしたが、ケースを設けなくともよく、その場合、凹部の側壁に係合孔を形成ればよい。
【００４５】
【発明の効果】
この発明によれば、選択固定手段によって第１の床部に対して第２の床部又は第３の床部を選択的に固定できるようにした。
【００４６】
そのため、利用者の身長や体格などに応じて第１の床部に対して第２、第３の床部のうちのどちらの床部を固定するかを選択することで、床板体の屈曲位置を変更することができる。
【００４７】
また、選択固定手段は移動軸をスライドさせるだけであるから、その操作を容易に行なうことができる。
【００４８】
また、移動軸をスライドさせるための、この移動軸に連結された操作部材を凹部内へ倒伏させると、この操作部材によって移動軸がスライドするのを阻止するから、第１の床部に対する第２又は第３の床部の固定状態を確実に維持することができる。
【図面の簡単な説明】
【図１】（ａ）はこの発明の一実施の形態を示す調整床部を第１の脚床部に連結固定した状態の断面図、（ｂ）は調整床部を第２の脚床部に連結固定した状態の断面図。
【図２】床板体の幅方向の端部に設けられた選択固定手段の斜視図。
【図３】床板体の平面図。
【図４】ベッド装置の側面図。
【図５】（ａ）は床板体の屈曲部分が利用者の膝の裏側の部分からずれている状態の説明図、（ｂ）は床板体の屈曲部分が利用者の膝の裏側の部分に位置する状態の説明図。
【符号の説明】
３…ベッドフレーム
８…床板体
９ａ〜９ｆ…床部
１２…背上げ駆動機構
２５…選択固定手段
２６…凹部
２８…移動軸
３３…操作部材
４１…第１の嵌合孔（第１の嵌合部）
４５…第２の嵌合孔（第２の嵌合部）
【図１】
0003710694.tif 000002
【図２】
0003710694.tif 000003
【図３】
0003710694.tif 000004
【図４】
0003710694.tif 000005
【図５】
0003710694.tif 000006